(57)【特許請求の範囲】
【請求項１】
火災警報機能とガス漏れ警報機能を有する複合型警報器を、防災情報盤から引き出された感知器回線に火災感知器と共に接続して火災及びガス漏れを監視する防災監視設備において、
前記複合型警報器に、
商用交流電源からの電源供給で動作し、ガス検出時にガス漏れ警報を行うガス漏れ警報回路部と、
前記感知器回線からの電源供給で動作し、火災検出時に火災発報信号を前記感知器回線を介して前記防災情報盤に出力すると共に、前記ガス漏れ警報回路部に電気的に分離した火災発報信号を出力して火災警報を行わせる火災感知器回路部と、
前記ガス漏れ警報回路部のガス検出機能を試験するガス試験部と、
前記感知器回線から受信した試験信号を電気的に分離して前記ガス試験部に送出し、試験結果を示す試験応答信号を出力させる試験信号送出部と、
前記ガス試験部からの試験応答信号を電気的に分離した後に前記火災感知器回路部を介して前記感知器回線に送出する試験応答信号送出部と、
前記試験応答信号と共に複合型警報器の種別を示す種別信号を送出する種別信号送出部と、
を設け、
前記感知器回線側に、前記試験信号を送出すると共に、前記試験応答信号および種別信号を受信して前記複合型警報器の試験結果を表示する試験処理部を設けたことを特徴とする防災監視設備。
【請求項２】
請求項１記載の防災監視設備において、前記ガス試験部は、試験スイッチの操作時又はタイマによる設定時間毎に前記ガス漏れ警報回路部のガス検出機能の試験を行って試験結果を記憶保持し、前記試験信号送出部は、試験信号を前記ガス試験部に送出し、記憶保持している試験結果を示す試験応答信号を出力させることを特徴とする防災監視設備。
【請求項３】
請求項１記載の防災監視設備において、前記試験処理部は、前記防災情報盤から感知器回線の接続を切り離す中継器を介して接続された外部試験器に組み込まれたことを特徴とする防災監視設備。
【請求項４】
請求項１記載の防災監視設備において、前記試験処理部は前記防災情報盤に組み込まれたことを特徴とする防災監視設備。
【請求項５】
請求項１記載の防災監視設備において、
前記ガス漏れ警報回路部は、検出ガスの種類に対応した信号に応じて異なるパルス幅と周期のパルス信号を電気的に分離した後に前記火災感知器回路部を介して前記感知器回線に送出し、
前記ガス試験部は、ガスの種類ごとに試験を行って試験結果を記憶保持し、前記試験信号送出部からの試験信号によりガスの種類ごとの試験結果を示す試験応答信号を出力することを特徴とする防災監視設備。
【請求項６】
火災警報機能とガス漏れ警報機能を有し、感知器回線に火災感知器と共に接続して火災及びガス漏れを監視する複合型警報器において、
商用交流電源からの電源供給で動作し、ガス検出時にガス漏れ警報を行うガス漏れ警報回路部と、
前記感知器回線からの電源供給で動作し、火災検出時に火災発報信号を前記感知器回線に対して出力すると共に、前記ガス漏れ警報回路部に電気的に分離した火災発報信号を出力して火災警報を行わせる火災感知器回路部と、
前記ガス漏れ警報回路部のガス検出機能を試験するガス試験部と、
前記感知器回線から受信した試験信号を電気的に分離して前記ガス試験部に送出し、試験結果を示す試験応答信号を出力させる試験信号送出部と、
前記ガス試験部からの試験応答信号を電気的に分離した後に前記火災感知器回路部を介して前記感知器回線に送出する試験応答信号送出部と、
前記試験応答信号と共に複合型警報器の種別を示す種別信号を送出する種別信号送出部と、
を備えたことを特徴とする複合型警報器。
【請求項７】
請求項６記載の複合型警報器において、前記ガス試験部は、試験スイッチの操作時又はタイマによる設定時間毎に前記ガス漏れ警報回路部のガス検出機能の試験を行って試験結果を記憶保持し、前記試験信号送出部は、試験信号を前記ガス試験部に送出し、記憶保持している試験結果を示す試験応答信号を出力させることを特徴とする複合型警報器。
【請求項８】
請求項６記載の複合型警報器において、
前記ガス漏れ警報回路部は、検出ガスの種類に対応した信号に応じて異なるパルス幅と周期のパルス信号を電気的に分離した後に前記火災感知器回路部を介して前記感知器回線に送出し、
前記ガス試験部は、ガスの種類ごとに試験を行って試験結果を記憶保持し、前記試験信号送出部からの試験信号によりガスの種類ごとの試験結果を示す試験応答信号を出力することを特徴とする複合型警報器。
【発明の詳細な説明】
【０００１】
【発明の属する技術分野】
本発明は、集合住宅等において火災とガス漏れを監視する防災監視設備及び複合型警報器に関し、特にガス検出機能を遠隔的に試験する防災監視設備及び複合型警報器に関する。
【０００２】
【従来技術】
従来、集合住宅における一般的な火災報知設備としては、例えば、図７に示す構成のものがある。図７は住戸内の設備を示しており、防災情報盤１から引き出された電源兼用信号線として機能する感知器回線２ａ，２ｂに対しては、住戸内の天井に設置される火災感知器３が１又は複数接続されている。
【０００３】
火災感知器３が火災を検出して発報すると、感知器回線２ａ，２ｂ間に発報電流が流れ、防災情報盤１で発報電流を検出して火災表示及び火災警報を行う。また防災情報盤１は伝送線７ａ及び電源線７ｂにより管理人室などに設置された図示しない住棟受信盤に接続され、火災を判断すると火災確認信号を住棟受信盤に送り、火災表示と火災警報を行わせる場合がある。
【０００４】
また、防災情報盤１から別途引き出されたガス漏れ信号線５ａ，５ｂに対しては、商用交流電源ＡＣ１００Ｖで動作するガス漏れ警報器１００を接続する場合がある。ガス漏れ警報器１００は、主に台所の壁に設置され、検出状態を有電圧信号によりガス漏れ信号線５ａ，５ｂを介して防災情報盤１に出力している。
【０００５】
具体的には、ガス漏れ警報器１００は、停電・断線時に０Ｖ、正常監視時に６Ｖ、ガス漏れ（メタンガス）検出時に１２Ｖ、一酸化炭素ガス検出時に１８Ｖの有電圧信号を出力する。防災情報盤１は、この有電圧信号を受信し、ガス漏れ（メタンガス）検出時の１２Ｖや一酸化炭素ガス検出時の１８Ｖの有電圧信号を識別すると、対応するガス漏れ表示及びガス漏れ警報を行う。
【０００６】
ここで火災報知を行う防災監視設備は、消防法の規格により、停電時にあっても所定時間の間、火災監視を行うことが義務付けられている。このため停電対策が施されなければならず、停電時には防災情報盤及び感知器回線には所定時間にわたり管理人室などに設置される非常電源装置から例えばＤＣ２４Ｖの電源が供給されて火災監視が行われる。
【０００７】
しかしながら、ガス漏れ警報器１００は、住戸から供給される商用交流電源ＡＣ１００Ｖで動作するのみで、停電対策が施されていないことから、停電になると全くガス漏れ監視ができない。
【０００８】
一方、最近、戸建て住宅用として、ガス漏れ警報器に火災検出機能を備えた複合型警報器が開発され、設置されはじめている。一般的な複合型警報器としては、図８に示す構成のものがある。
【０００９】
図８において、複合型警報器１０２、商用交流電源ＡＣ１００Ｖにより電源回路部８で各回路部に対する所定の直流電源電圧を作り出して動作させている。この電源回路部８には、ノイズ吸収回路８ａ、電源トランス８ｂ、整流回路８ｃ、定電圧回路８ｄが設けられる。
【００１０】
ガス漏れ警報回路部は、マイコン回路９、ガス検出回路１０、ガスセンサ駆動回路１１、温度補償回路１２、ガス警報濃度設定回路１３、電源灯１４ａ、火災灯１４ｂ、ガス漏れ灯１４ｃ、ＣＯガス漏れ灯１４ｄを備えた表示灯回路１４、スピーカ１６を備えた音声警報出力回路１５から構成される。
【００１１】
ガス検出回路１０には例えば金属酸化物半導体（ＳｎＯ３）ガスセンサが設けられ、半導体表面にガスが付着すると電気抵抗が急激に変化する特性を利用してガスを検出する。
【００１２】
ガスセンサ駆動回路１１は、ガスセンサの直近に設けた温度補償回路１２の出力に基づくマイコン回路９からの制御信号を受けて最適な感度となるようにガスセンサを駆動する。
【００１３】
ガス検出回路１０は、マイコン回路９からの指示でメタンガス（ＣＨ４）と一酸化炭素ガス（ＣＯ）を的確に捉えるための負荷抵抗の値を切替えており、切替に対応して得られた出力電圧がマイコン回路９に入力され、この出力電圧は温度補償回路１２の出力により補正される。
【００１４】
ガス警報濃度設定回路１３は、メタンガスと一酸化炭素ガスの各ガス濃度に対応した発報感度を設定するもので、調整された設定電圧値がマイコン回路９に入力され、温度補償による補正済みの出力電圧と比較され、ガス漏れか一酸化炭素ガスの充満（換気警報状態）かが判断される。
【００１５】
このようなガス漏れ警報回路部に加え、火災警報回路１０２が設けられる。火災警報回路１０２は、例えば周囲温度の上昇で抵抗値が下がるサーミスタを利用した回路であり、この出力はマイコン回路９に入力され、所定値に達すると火災発生を判断する。
【００１６】
ガス漏れ又は火災が判断されて警報状態になると、マイコン回路９の指示により音声警報出力回路１６が動作してスピーカ１６から対応した警報音を出力させ、表示灯回路１４も警報内容に対応した表示灯を点灯する。火災とガス漏れが同時に判断された場合は、火災警報を優先する。
【００１７】
更に移報回路部として火災警報接点出力回路２２と外部出力回路２３が設けられる。火災警報接点出力回路２２は、火災が判断されたときに常開接点（ａ接点）を閉じ、無電圧接点信号を出力する。外部出力回路２３は、停電・断線時に０Ｖ、正常監視時に６Ｖ、ガス漏れ検出時に１２Ｖ、一酸化炭素ガス検出時に１８Ｖの有電圧信号を出力する。
【００１８】
このような図８の複合型警報器１０１は、基本的に、戸建て住宅用に設計され、警報器単独で警報音を出力し、ガスメータの遮断弁を動作させることを主目的にしている。また図７のガス漏れ警報器１００と同様、商用交流電源で動作しており、停電時の火災監視が出来ない。
【００１９】
この複合型警報器を集合住宅の防災監視設備に使用する場合には、図７のガス漏れ警報器１００と同様、有電圧信号の移報出力をガス漏れ信号線５ａ，５ｂを介して防災情報盤１に出力することになる。また複合型警報器１０１で火災発生を判断した時には、火災表示すると共に火災警報音を出力し、更にガスメータ内蔵のガス遮断弁を作動させるため無電圧接点信号を出力する。
【００２０】
【発明が解決しようとする課題】
しかしながら、このような従来の複合型警報器を集合住宅の防災監視設備に適用しようとした場合、次のような問題がある。
【００２１】
まず複合型警報器は、火災検出機能を有しているものの停電対策機能を備えていないことから、火災信号となる無電圧接点信号を、防災情報盤に接続することができない。
【００２２】
このため複合型警報器を、台所の壁等に設置した場合でも、別途台所には感知器回線に接続される火災感知器を設置する必要が有り、重複する設備になりコストアップとなる。
【００２３】
また複合型警報器を感知器回線に接続し、感知器回線からの電源供給を受けて停電対策を施すことも考えられるが、ガスセンサを駆動するためには内部のヒータに駆動電圧を供給することが必要であり、消費電力が掛かり過ぎる。このため複合型警報器についても停電対策を行うと、非常電源装置の容量を大きくしなければならない問題がある。
【００２４】
更に防災情報盤でガス漏れ警報や換気注意警報を行うため、複合型警報器からの有電圧信号を移報する専用のガス漏れ信号線５ａ，５ｂを必要とし、住戸内の配線が複雑となり、その分、コストアップとなり、設置工事も煩雑になる。
【００２５】
また近年、図８のような防災監視設備にあっては，住戸外から火災感知器の試験を行うため、感知器回線に対し中継器を介して遠隔試験器を接続し、火災感知器を順番に指定して遠隔的に試験動作を行わせるようにしている（特開平１１−２５９７８７号）。
【００２６】
しかし、ガス漏れ警報機能と火災警報機能を備えた従来の複合型警報器は、感知器回線に接続できないために遠隔試験器による試験はできないという問題がある。
【００２７】
本発明は、複合型警報器を通常の火災感知器と同様に感知器回線に接続して火災監視及びガス漏れ監視の両方ができ、更にガス検出機能についても遠隔的に試験を可能とする防災監視設備および複合型警報器を提供することを目的とする。
【００２８】
【課題を解決するための手段】
この目的を達成するため本発明は次のように構成する。本発明は、火災警報機能とガス漏れ警報機能を有する複合型警報器を、防災情報盤から引き出された感知器回線に火災感知器と共に接続して火災及びガス漏れを監視する防災監視設備であって、複合型警報器に、商用交流電源からの電源供給で動作し、ガス検出時にガス漏れ警報を行うガス漏れ警報回路部と、感知器回線からの電源供給で動作し、火災検出時に火災発報信号を感知器回線を介して防災情報盤に出力すると共に、ガス漏れ警報回路部に電気的に分離した火災発報信号を出力して火災警報を行わせる火災感知器回路部と、ガス漏れ警報回路部のガス検出機能を試験するガス試験部と、感知器回線から受信した試験信号を電気的に分離してガス試験部に送出し、試験結果を示す試験応答信号を出力させる試験信号送出部と、ガス試験部からの試験応答信号を電気的に分離した後に火災感知器回路部を介して感知器回線に送出する試験応答信号送出部と、試験応答信号と共に複合型警報器の種別を示す種別信号を送出する種別信号送出部とを設け、感知器回線側に試験信号を送出すると共に、試験応答信号および種別信号を受信して複合型警報器の試験結果を表示する試験処理部を設けたことを特徴とする。
【００２９】
ここでガス試験部は、試験スイッチの操作時又はタイマによる設定時間毎にガス漏れ警報回路部のガス検出機能の試験を行って試験結果を記憶保持し、試験信号送出部は、試験信号をガス試験部に送出し、記憶保持している試験結果を示す試験応答信号を出力させる。
【００３０】
また試験処理部は、防災情報盤から感知器回線の接続を切り離す中継器を介して接続された外部試験器に組み込まれたものである。また試験処理部は防災情報盤に組み込まれものでも良い。
【００３１】
このため複合型警報器の火災感知器回路部は、商用交流電源からの電源供給から電気的に分離され、感知器回線から通常の火災感知器と同様に電源供給を受けて動作し、また、火災感知器回路部と同様にガス漏れ警報回路部についても遠隔的に試験することができる。
【００３２】
またガス漏れ警報回路部については、試験スイッチやタイマによるガス検出機能の試験結果を記憶保持させ、これを感知器回線からの遠隔試験による試験信号により返送させ、ガス漏れ警報回路部の試験結果を表示できるにする。これによりガス漏れ警報回路部の試験機能を有効に活かした感知器回線からの遠隔試験が可能となる。
【００３３】
また複合型警報器に設けた火災感知器回路部の停電対策は火災感知器と同様に取ることができ、予備電源装置の容量もに大きくする必要はなく、更に複合型警報器を設置している台所等に重複して火災感知器を設置する必要はない。
【００３４】
またガス漏れ警報回路部は、検出ガスの種類に対応した信号に応じて異なるパルス幅と周期のパルス信号を電気的に分離した後に火災感知器回路部を介して感知器回線に送出し、ガス試験部は、ガスの種類ごとに試験を行って試験結果を記憶保持し、試験信号送出部からの試験信号によりガスの種類ごとの試験結果を示す試験応答信号を出力する。
【００３５】
更に本発明は、火災警報機能とガス漏れ警報機能を有し、感知器回線に火災感知器と共に接続して火災及びガス漏れを監視する複合型警報器そのものを提供するものであり、この複合型警報器は、商用交流電源からの電源供給で動作し、ガス検出時にガス漏れ警報を行うガス漏れ警報回路部と、感知器回線からの電源供給で動作し、火災検出時に火災発報信号を感知器回線に対して出力すると共に、ガス漏れ警報回路部に電気的に分離した火災発報信号を出力して火災警報を行わせる火災感知器回路部と、ガス漏れ警報回路部のガス検出機能を試験するガス試験部と、感知器回線から受信した試験信号を電気的に分離してガス試験部に送出し、試験結果を示す試験応答信号を出力させる試験信号送出部と、ガス試験部からの試験応答信号を電気的に分離した後に火災感知器回路部を介して感知器回線に送出する試験応答信号送出部と、試験応答信号と共に複合型警報器の種別を示す種別信号を送出する種別信号送出部とを備えたことを特徴とする。これ以外の特徴は、防災監視設備の設備の構成と同じになる。
【００３６】
【発明の実施の形態】
図１は本発明による防災監視設備における住戸内の設備構成を示した説明図である。
【００３７】
図１において、集合住宅の各住戸には防災情報盤１が設置されており、防災情報盤１から住戸内に電源兼用信号線として機能する感知器回線２ａ，２ｂが引き出されている。この感知器回線２ａ，２ｂには遠隔試験機能付きの火災感知器３が１または複数接続され、その終端には断線監視用の終端抵抗４が接続される。
【００３８】
防災情報盤１は、伝送線６０ａにより、管理人室に設置している住棟受信盤に接続される。また電源線６０ｂによって同じく管理人室に設置している電源装置に接続され、この電源装置に対しては予備電源装置が接続され、停電時の電源バックアップができるようにしている。
【００３９】
更に本発明にあっては、感知器回線２ａ，２ｂに対し火災感知器３と同様に、火災警報機能とガス漏れ警報機能を有する複合型警報器５を接続している。この複合型警報器５は、後の説明で明らかにするように、ガス漏れ警報回路部については商用交流電源ＡＣ１００ボルトによる電源供給を受けて動作しており、また火災感知器回路部については防災情報盤１から感知器回線２ａ，２ｂによる電源供給を受けて動作している。火災感知器回路部は火災感知器３と同様に遠隔試験機能を備える。またガス漏れ警報回路部についても後の説明で明らかにする遠隔試験機能を備える。
【００４０】
複合型警報器５の火災感知器回路部で火災検出が行われると、火災感知器３と同様に感知器回線２ａ，２ｂ間が低インピーダンスにされ、発報電流が流れることで防災情報盤１に対し火災発報信号が送出される。
【００４１】
防災情報盤１には火災監視部１ａ、ガス漏れ監視部１ｂ、更に必要に応じて試験処理部１ｃの機能が設けられている。火災監視部１ａは火災発報信号の受信状態が予め定めた遅延時間例えば２００ｍｓ継続したときに火災と判断し、住戸内に感知器の作動を示す音声警報を行う。このためノイズなどにより遅延時間２００ｍｓ未満の短い火災発報信号に相当する信号入力があっても、火災監視部１ａは火災と誤って判断することはない。
【００４２】
火災発報信号から火災を判断した火災監視部１ａは、タイマを起動して例えば２〜５分の範囲に定めた所定時間の経過を判断し、この間に居住者が確認スイッチ釦を押すと、火災確認信号を伝送線６０ａを介して管理人室の図示しない住棟受信盤に送出し、火災警報動作を行わせる。居住者による確認スイッチ釦の操作がない場合には、タイマ設定時間の経過時点で火災確認信号を住棟受信盤に送出して、同様に火災警報動作を行わせる。
【００４３】
複合型警報器５に設けているガス漏れ警報回路部でガス漏れ検出が行われると、感知器回線２ａ，２ｂを介して検出したガスの種類に対応したパルス信号の送出が行われる。
【００４４】
複合型警報器５にあっては、例えばメタンガス（ＣＨ4 ）と一酸化炭素（ＣＯ）の２種のガス漏れを検出することができ、この検出した各ガスの種類に対応した異なるパルス幅と周期をもったパルス信号がガス検出信号として感知器回線２ａ，２ｂに送出される。
【００４５】
このパルス信号からなるガス検出信号が防災情報盤１のガス漏れ監視部１ｂで受信後に識別され、ガス漏れ警報あるいはＣＯ換気警報を行う。もちろん、ガス漏れ警報及びＣＯ換気警報については複合型警報器５自身でも行われる。
【００４６】
また本発明にあっては、防災情報盤１側の感知器回線２ａ，２ｂには中継器６が設けられ、遠隔試験の際に住戸外に設置される中継器６に対し外部試験器７をコネクタケーブルで接続する。外部試験器７で試験スイッチを操作すると、中継器６内のリレーが作動し、防災情報盤１に対する感知器回線２ａ，２ｂの接続を切り離し、外部試験器７側に切替える。
【００４７】
この状態で外部試験器７は、複合型警報器５を含む火災感知器３のアドレスを順次指定しながら試験信号（試験コマンド）を送出して遠隔試験を行わせる。火災感知器３及び複合型警報器５の火災感知器回路部の遠隔試験については、試験による発報信号を受信すれば正常と判断し、発報信号を受信できなければ異常と判断して試験結果を表示する。
【００４８】
これに対し複合型警報器５のガス漏れ警報回路部の遠隔試験にあっては、警報器側で行われて記憶保持されているガス漏れ検出とＣＯガス検出の試験結果が、警報器の種別信号と共に返送される。
【００４９】
遠隔試験は、外部試験器７を使用せずに防災情報盤１に試験処理部１ｃを設けても良い。この場合、中継器６は設ける必要がない。勿論、試験処理部１ｃと外部試験器７の両方を備えても良い。外部試験器７としては例えば特開平１１−２５９７８７号の遠隔試験器が使用できる。
【００５０】
図２は図１の複合型警報器５の実施形態を示した回路ブロック図である。本発明で使用する複合型警報器５は、ガス漏れ警報回路部５Ａと火災感知器回路部５Ｂで構成されている。
【００５１】
ガス漏れ警報回路部５Ａは、ノイズ吸収回路８ａ，電源トランス８ｂ，整流回路８ｃ及び定電圧回路８ｄを備えた電源回路部８、ＭＰＵやメモリを備えたマイコン回路９、ガス検出回路１０ａ、ガスセンサ駆動回路１０ｂ及び、温度補償回路１０ｃを備えたガス検出回路部１０、ガス警報濃度設定回路１３、電源灯１４ａ、火災灯１４ｂ、ガス漏れ灯１４ｃ、ＣＯガス漏れ灯１４ｄ及び故障灯１４ｅを備えた表示灯回路１４、無電圧接点信号を出力する火災警報接点出力回路２２、有電圧信号を出力する外部出力回路２３を備える。
【００５２】
一方、火災感知器回路部５Ｂは火災感知器回路１８と火災発報信号送出回路１９を備える。火災感知器回路１８は、図１の防災情報盤１からの感知器回線２ａ，２ｂに接続されて電源供給を受けて動作している。火災感知器回路１８で火災を検出すると、感知器回線２ａ，２ｂ間を低インピーダンスにして発報電流を流すことで、図１の防災情報盤１に対し火災発報信号を送出する。同時に火災感知器回路１８は火災発報信号送出回路１９に火災発報信号を出力する。
【００５３】
火災発報信号送出回路１９にはフォトカプラ２０のＬＥＤ側となる発光部２０ａが接続されており、火災感知器回路１８より火災発報信号を受けると、発光部２０ａを発光駆動する。ガス漏れ警報回路部５Ａ側の火災発報信号受信回路２１には、フォトカプラ２０のフォトトランジスタを使用した受光部２ｂが設けられており、発光部２０ａからの火災発報信号による発光を受けて受光部２ｂのフォトトランジスタがオンし、火災発報信号受信回路２１からマイコン回路９に火災発報信号を入力し、火災警報動作を行わせる。
【００５４】
このようにガス漏れ警報回路部５Ａと火災感知器回路部５Ｂ側は、フォトカプラ２０を使用した火災発報信号送出回路１９と火災発報信号受信回路２１により電気的に分離されている。
【００５５】
図２の複合型警報器５は、更に、マイコン回路９でメタンガスのガス漏れを検出した場合のガス漏れ信号と、一酸化炭素ガスを検出した場合のＣＯ換気信号を、それぞれ固有のパルス信号に変換してガス検出信号として送出させる信号送信回路部を備える。この信号送信回路部は、ガス漏れ信号送信回路２４、ＣＯ換気信号送信回路２５、ＯＲ回路２６、フォトカプラ２７、及び信号受送信回路２８で構成される。
【００５６】
ガス漏れ信号送信回路２４は、マイコン回路９からのガス漏れ信号を入力すると所定パルス幅と周期のパルス信号を出力する。ＣＯ換気信号送信回路２５は、マイコン回路９からのＣＯ換気信号を入力すると、ガス漏れ信号送信回路２４とは異なる所定のパルス幅と周期のパルス信号を出力する。
【００５７】
ガス漏れ信号送信回路２４及び又はＣＯ換気信号送信回路２５からのパルス信号はＯＲ回路２６に入力され、フォトカプラ２７のＬＥＤでなる発光部２７ａを発光駆動する。
【００５８】
発光部２７ａからの光はフォトカプラ２７のフォトトランジスタを用いた受光部２７ｂで受光され、信号受送信送出回路２８に入力される。信号受送信出回路２８はフォトカプラ２７を介して電気的に分離されたガス漏れ信号またはＣＯ換気信号を受信し、対応したパルス信号を火災感知器回路１８に出力し、感知器回線２ａ，２ｂに対し電流モードでパルス信号を送出させる。
【００５９】
図３は図２の信号送信回路部より送出されるパルス信号のタイムチャートである。図３（Ａ）はＣＯ換気信号に対応したパルス信号であり、パルス幅は５０ｍｓで周期が３００ｍｓに設定されている。また図３（Ｂ）はガス漏れ信号に対応したパルス信号であり、パルス幅が５ｍｓでパルス周期が３０ｍｓとなっている。
【００６０】
このＣＯ換気信号及びガス漏れ信号に対応した各パルス信号のパルス幅と周期は、図１の防災情報盤１の火災監視部１ａで受信する火災発報信号のノイズに誤動作を防止するために設定した遅延時間、例えば遅延時間２００ｍｓからパルス信号が区別できるように設定している。
【００６１】
即ち図１の防災情報盤１に設けた火災監視部１ａにあっては、火災発報信号が遅延時間２００ｍｓ継続したときに真の火災発報信号の受信と判断しており、この火災発報信号と図３（Ａ）（Ｂ）のＣＯ換気信号及びガス漏れ信号に対応した各パルス信号を区別して受信できるようにするため、ＣＯ換気信号についてはパルス幅５０ｍｓ、周期３００ｍｓ、ガス漏れ信号についてはパルス幅５ｍｓ、周期３０ｍｓを設定している。
【００６２】
このようにＣＯ換気信号に対応したパルス信号は、パルス幅５０ｍｓのパルス信号を出力した後、２５０ｍｓの間、停止するサイクルであり、またガス漏れ信号に対応したパルス信号は、ＣＯ換気信号に対しパルス幅が１０分の１で周期が１０分の１、即ち１０倍の周波数のパルス信号であり、防災情報盤における遅延時間２００ｍｓ継続したときに受信と判断される火災発報信号に対し明確に識別することができる。
【００６３】
またＯＲ回路２６によりガス漏れ信号とＣＯ換気信号に対応した各パルス信号論理和がとられていることから、両者が同時に得られた場合には、図３（Ｃ）に示すようなＣＯ換気信号とガス漏れ信号を合わせたパルス信号が送出される。このＣＯ換気信号とガス漏れ信号の同時送出にあっても、連続パルス幅は５５ｍｓを超えることがなく、したがって防災情報盤側においてパルス信号を火災発報信号と誤って受信することはない。
【００６４】
更に集合住宅の各住戸に設置される複合型警報器５は複数の場合がある。例えば図１において、感知器回線２ａ，２ｂに複合型警報器５を３台接続した最悪の条件を考慮しても、
（５０ｍｓ×３）＋（５ｍｓ×３）＝１６５ｍｓ
から連続パルス幅は１６５ｍｓであり、防災情報盤１が火災発報信号の受信と判断する遅延２００ｍｓを超えることがなく、ＣＯ換気信号とガス漏れ信号が図３（Ｃ）のように同時に送出されたとしても、防災情報盤１側でパルス信号を火災発報信号の受信と誤って判断することはない。
【００６５】
勿論、この実施形態にあってはＣＯ換気信号とガス漏れ信号のパルス幅及び周期を複合型警報器の最大数として３台接続した場合を条件に決めているが、防災情報盤１の火災発報信号受信までの遅延時間やその識別能力などを考慮し、火災発報信号と誤って判断されることのない範囲で適宜のパルス幅及び周期を設定すればよい。
【００６６】
図２の複合型警報器５から感知器回線２ａ，２ｂに対する出力信号は、パルス信号を用いたＣＯ換気信号とガス漏れ信号についても電流モードで送出しており、これに対し図１の防災情報盤１にあっては、線路電流を例えば感知器回線２ａ側に挿入接続した抵抗の両端電圧として受信する。この受信電圧は例えば次のようになる。
（１）正常監視時（終端抵抗あり）に１．５〜２．５ボルト
（２）断線時に１．０ボルト以下、
（３）信号受信時に４．０〜５．０ボルト
具体的には、火災発報信号及びガス検出信号のパルス信号の送出で、正常監視状態の電圧レベルに重畳された形で火災発報信号、ＣＯ換気信号及びガス漏れ信号に対応したパルス信号が受信され、防災情報盤１側に内蔵しているマイコン回路のＡＤ変換により取り込まれ信号が識別され、火災監視部１ａおよびガス漏れ監視部１ｂで警報表示と警報出力が行われる。
【００６７】
次に図２の複合型警報器５のガス漏れ警報回路部５Ａに対する遠隔試験のための構成を説明する。
【００６８】
まず火災感知器回路１８にはガス漏れ警報回路部５Ａ側の遠隔試験のために、試験信号送出回路４８と種別信号送出回路４９が設けられる。この試験信号送出回路４８と種別信号送出回路４９は、後の説明で明らかにする火災感知器回路１８にガス漏れ警報回路部５Ａ側の遠隔試験のために設けられた回路部である。
【００６９】
火災感知器回路１８には感知器回線２ａ，２ｂからの警報器アドレスを指定した試験信号を受信識別するインタフェース回路として機能する試験回路（図示せず）が設けられており、この試験回路で遠隔試験のための試験信号を受信すると、試験信号送出回路４８を作動し、フォトカプラ３０のＬＥＤを用いた発光部３０ａを発光駆動し、フォトカプラ３０のフォトトランジスタを用いた受光部３０ｂで受光し、試験信号受信回路３１よりマイコン回路９に対し電気的に分離された試験信号を入力する。
【００７０】
一方、ガス漏れ警報回路部５Ａのマイコン回路９には、そのプログラム制御により実現されるガス試験部３２が設けられている。ガス試験部３２は、タイマ３３、ガスセンサ試験制御部３４、試験結果記憶部３５及び試験結果出力部３６で構成されている。
【００７１】
タイマ３３は複合型警報器５の電源投入後の安定動作状態に入った時点でガスセンサ試験制御部３４を動作させ、ガス検出機能の試験を行わせる。その後、タイマ３３は例えば２４時間あるいは２４０時間周期でガスセンサ試験制御部３４を作動させ、ガス検出機能の試験を行う。ガスセンサ試験制御部３４は、ガスセンサ駆動回路１０ｂ及びガス警報濃度設定回路１３を試験モードで動作させ、メタンガスによるガス漏れ検出機能及び一酸化炭素に対するガス漏れ検出機能を試験し、この試験結果を試験結果記憶部３５に記憶保持する。
【００７２】
また複合型警報器５に設けている試験スイッチ２９を操作することで、ガスセンサ試験制御部３４はタイマ３３による試験周期に関係なく，ガス検出機能の試験を行い，試験結果を試験結果記憶部３５に記憶保持する。
【００７３】
ガスセンサ試験制御部３４によるガス検出機能の試験は、例えばガス検出回路１０ａに設けている各ガスセンサに接続した負荷抵抗に、トランジスタのオンにより試験用抵抗を並列接続して抵抗値を下げ、これによってガス漏れ検出及び一酸化炭素ガス漏れ検出の試験状態を作り出している。
【００７４】
試験結果出力部３６は、火災感知器回路１８よりフォトカプラ３０及び試験信号受信回路３１を介して試験信号をマイコン回路９で受けた際に、試験結果記憶部３５に記憶保持しているメタンガス及び一酸化炭素のガス検出の試験結果を読み出し、２ビットのシリアル信号としてＯＲ回路２６に出力する。
【００７５】
即ちメタンガス及び一酸化炭素の各試験結果が正常であれば各々ビット１を出力し、異常であれば各々ビット０を出力する。ＯＲ回路２６は試験結果出力部３６からの試験結果を示す２ビットのシリアル信号のビット１でフォトカプラ２７の発光部２７ａを発光駆動し、受光部２７ｂによる受光で信号受送信回路２８より試験結果の各ビットに対応したパルス信号を火災感知器回路１８を介して電流モードで感知器回線２ａ，２ｂに出力する。
【００７６】
このとき火災感知器回路１８に設けている種別信号送出回路４９が２ビットの試験結果のパルス信号の送出前に感知器回線２ａ，２ｂに出力される。このため図１の外部試験器７側にあっては、まず火災感知器回路１８の試験結果となる試験発報信号を受信した後に、ガス漏れ警報回路部５Ａ側の遠隔試験の結果として種別信号とこれに続くガス漏れ及びＣＯ換気に対応した２ビットのパルス信号となる合計３ビットの信号を受信することになる。
【００７７】
ガス漏れ警報回路部５Ａが独自に起こった試験結果を試験結果記憶部３５に記憶保持しておき、試験信号を受信した際に応答信号として返送させることで、試験信号を受信してから試験を行うのに比べ，システム全体での遠隔試験に係る時間を大幅に短縮できる。
【００７８】
図４は図２の火災感知器回路１８の一例を示した回路ブロック図である。この火災感知器回路１８は、整流回路３７、ノイズ吸収回路３８、定電圧回路３９、電流制限回路４０、熱検出回路４１、比較回路４３、発報温度設定回路４２、火災信号出力回路４４を備える。
【００７９】
熱検出回路４１には温度検出素子としてサーミスタを設けており、温度上昇によるサーミスタ抵抗値の低下を電圧に変換し、発報温度設定回路４２の設定電圧と比較することにより定温式感知器の特性を実現している。
【００８０】
即ち熱検出回路４１からの検出信号が発報温度設定回路４２の設定電圧に対応した値を超えると比較回路４３が出力し、火災信号出力回路４４のトランジスタなどのスイッチング素子をオンし、端子Ｌ，Ｃに接続された感知器回線２ａ，２ｂ間を低インピーダンスにして発報電流を流すことで、防災情報盤１側に火災発報信号を送信する。
【００８１】
火災信号出力回路４４と直列に図２のフォトカプラ２０の発光部２０ａが接続されている。このため、火災感知器回路１８で火災検出動作が行われて感知器回線２ａ，２ｂ間に発報電流が流れると、同時にフォトカプラ２０の発光部２０ａが発光駆動され、これによって図２のフォトカプラ２０の受光部２０ｂ側に受光出力が行われ、火災発報信号受信回路２１を経由してマイコン回路９に火災発報信号が入力される。
【００８２】
また火災信号送出回路４４には図２のフォトカプラ２７の受光部２７ｂとなるフォトトランジスタが接続されている。このため図２の信号受送信回路２８は火災信号出力回路４４に内蔵されることになる。
【００８３】
また火災感知器回路１８の遠隔試験のため、感知器回線から自己アドレスを指定した試験信号を受信判別するインタフェース回路として機能する試験回路４６、試験回路４６からの試験信号により作動して比較回路４３を火災検出時と同じ動作状態とする試験作動を行って発報信号を送出させるスイッチ回路４７を備える。
【００８４】
更にガス漏れ警報回路部の遠隔試験のため、試験回路４６から出力される試験信号により作動してフォトカプラの発光部３０ａを発光駆動してガス漏れ警報部５Ａ側に試験信号を送出する試験信号送出回路４８、同じく試験回路４５からの試験信号により作動してガス漏れ警報回路部５Ａ側の遠隔試験の結果の種別を示す種別信号を送出する種別信号送出回路４９を備える。
【００８５】
一方、図１の遠隔試験機能付きの火災感知器３としては、図４の火災感知器回路１８からガス漏れ警報回路部５Ａ側の遠隔試験のために設けている試験信号送出回路４８と種別信号送出回路４９を除いた回路構成となる。
【００８６】
次に本発明の防災監視設備及び複合型警報器の動作を説明する。図１のように防災情報盤１からの感知器回線２ａ，２ｂに接続された複合型警報器５は、図２から明らかなように、感知器回線２ａ，２ｂによる電源供給を火災感知器回路１８で受けて火災を監視している。火災感知器回路部５Ｂの各回路は、感知器回線２ａ，２ｂによる電源供給を受けて動作している。
【００８７】
同時に商用交流電源ＡＣ１００ボルトの供給を受けて、電源回路部８で各回路部に供給する例えばＤＣ５ボルトとなる規定の直流電源電圧を作り出し、ガス漏れ警報回路部５Ａ側を動作している。
【００８８】
この状態で図４に示した回路構成をもつ火災感知器回路１８で火災が検出されると、感知器回線２ａ，２ｂ間を低インピーダンスにして発報電流を流し、防災情報盤１に対し火災発報信号を送出する。火災発報信号を受信した防災情報盤１の火災監視部１ａにあっては、火災警報表示を行うと共に音声警報により火災感知器の作動を住戸内に知らせる。
【００８９】
火災発報信号の受信から例えば２〜５分の範囲の所定時間内に防災情報盤１に設けている確認スイッチ釦のオン操作が行われると、伝送線６０ａにより図示しない住棟受信盤に対し火災確認信号を送出して、住棟受信盤側で火災発生表示と警報表示を行わせる。また所定時間内に確認操作がなければ、所定時間の経過時点で防災情報盤１は住棟受信盤に火災確認信号を送出し、同様にして火災発生表示と警報を行わせる。
【００９０】
一方、図２の複合型警報器５にあっては、感知器回線２ａ，２ｂに対する火災発報信号の送出と同時に、火災感知器回路１８は火災発報信号を送出することで火災発報信号送出回路１９を動作してフォトカプラ２０の発光部２０ａを発光駆動し、この発光出力が受光部２０ｂで受光され、火災発報信号受信回路２１からマイコン回路９に火災発報信号が入力される。
【００９１】
火災発報信号の入力を受けたマイコン回路９は、表示灯回路１４を動作し、火災灯１４ｂを点灯する。また音声警報出力回路１５を作動し、スピーカ１６から例えば「ピーピー、火災警報器が作動しました。確認してください。」のような音声警報を出力させる。更に火災警報接点出力回路２２のａ接点を閉じることで外部に対し無電圧接点信号を出力し、例えばガス緊急遮断弁の遮断動作を行わせることができる。
【００９２】
一方、ガス漏れ警報回路部５Ａ側のガス検出回路部１０において、都市ガス（メタンガス）や一酸化炭素ガスに応じた出力電圧がマイコン回路９に入力され、ガス警報濃度設定回路１３による設定濃度を超えた場合には、ガス漏れ警報状態となり、表示灯回路１４によりガス漏れ灯１４ｃあるいはＣＯガス漏れ灯１４ｂを点灯する。
【００９３】
また音声警報出力回路１５によるスピーカ１６の駆動で、例えばガス漏れの場合には「ピッピッピッピッ、ガスが漏れていませんか。」というような音声警報を出力させる。ＣＯガスの場合には「ピッポピッポ、空気が汚れて危険です。窓を開けて換気をしてください。」といった音声警報を出力させる。更に、火災とガス漏れが重複した場合については火災警報を優先した音声警報出力が行われる。
【００９４】
またマイコン回路９は、ガス漏れ警報状態になると外部出力回路２３に対し指示を行い，ガス漏れ（メタンガス）検出時には１２Ｖ，一酸化炭素ガス検出時には１８Ｖの有電圧信号を外部に対して移報出力させる。この有電圧信号の移報出力は、たとえばマイコンメータ等の制御出力として使用される。
【００９５】
一方、監視中に住戸において停電が発生した場合、商用交流電源ＡＣ１００ボルトが断たれることで図２のガス漏れ警報回路部５Ａは動作が停止してしまう。しかしながら、火災感知器回路部５Ｂ側は感知器回線２ａ，２ｂによる電源供給を受けて動作しているため、住戸に停電があっても火災監視機能が失われることはない。
【００９６】
またマイコン回路９でメタンガスが警報ガス濃度に達してガス漏れが検出された場合には、ガス漏れ信号送信回路２４に対しガス漏れ信号が出力され、ガス漏れ信号送信回路２４は図３（Ｂ）のパルス幅５ｍｓで周期３０ｍｓとなるパルス信号をＯＲ回路２６に出力する。
【００９７】
ＯＲ回路２６は入力するパルス信号によりフォトカプラ２７の発光部２７ａを発光駆動し、受光部２７ｂを介して電気的に分離されたガス漏れを示すパルス信号を信号受送信回路２８に入力し、火災感知器回路１８を介して感知器回線に電流モードでパルス信号を送出する。
【００９８】
このパルス信号の送出は、図４の火災信号出力回路４４のスイッチング素子がフォトカプラの受光部２７ｂの受光出力によりオン，オフされ、感知器回線２ａ，２ｂに電流モードでパルス信号を送出する。
【００９９】
複合型警報器５からのパルス信号は図１の防災情報盤１で受信され、正常監視状態の１．５〜２．５ボルトとなる受信電圧に上乗せする形で４．０〜５．０ボルトに立ち上がるパルス電圧が受信され、ガス漏れ監視部１ｂでパルス幅とその周期からガス漏れ信号であることが識別され、防災情報盤１においてガス漏れ警報ランプの点灯と音声警報によるガス漏れ警報が出される。
【０１００】
図２のマイコン回路９で一酸化炭素ガスが警報濃度に達した場合のＣＯ換気信号の出力についても同様であり、図３（Ａ）のＣＯ換気信号に対応した５０ｍｓで周期３００ｍｓのパルス信号が感知器回線２ａ，２ｂ間に送出され、図１の防災情報盤１のガス漏れ監視部１ｂでＣＯ換気信号が識別され、換気を促す警報表示と音声警報出力が行われる。
【０１０１】
図５は図１の外部試験器７による複合型警報器の遠隔試験動作のタイムチャートである。
【０１０２】
遠隔試験器７より図２の複合型警報器のアドレスを指定して試験信号が送出されると、火災感知器回路１８に設けている図４の試験回路４６で自己アドレスによる試験信号を判別し、図５（Ａ）の時刻ｔ１からｔ６までの周期Ｔ１をもつ試験信号をスイッチ回路４７、試験信号送出回路４８及び種別信号出力回路４９に出力する。
【０１０３】
この試験信号に対し、まずスイッチ回路４７が図５（Ｂ）に示す時刻ｔ２で作動し、比較回路４３を火災検出時と同様に動作させ、火災信号出力回路４４より正常であれば試験結果として試験発報信号を図５（Ｂ）のようにパルス幅Ｔ２に亘り感知器回線２ａ，２ｂに送出する。
【０１０４】
続いて図５（Ｃ）の時刻ｔ３で種別信号出力回路４９がガス漏れ警報回路部５Ａ側の遠隔試験の結果の種別を示す種別信号をパルス幅Ｔ３のパルス信号として出力する。
【０１０５】
一方、図４の試験信号送出回路４８は時刻ｔ１で試験信号を受けると、フォトカプラ３０の発光部３０ａを発光駆動し、図２の試験信号受信回路３１を介してマイコン回路９に試験信号を入力する。
【０１０６】
この試験信号の入力を受けたマイコン回路９は、ガス試験部３２に設けている試験結果出力部３６を動作し、試験結果記憶部３５に記憶保持しているメタンガス及び一酸化炭素ガスの各ガス漏れ検出の試験結果を読み出し、２つの試験結果が共に正常であればそれぞれビット１となる２ビットのシリアル信号を図５（Ｄ）（Ｅ）の時刻ｔ４，ｔ５でガス漏れ試験応答信号及びＣＯ換気試験応答信号を出力する。なお、このガス漏れ試験応答信号及びＣＯ換気試験応答信号のパルス幅は、種別返送信号と同様、Ｔ３となる。
【０１０７】
試験結果出力部３６からの２ビットシリアル信号は直接ＯＲ回路２６に与えられ、フォトカプラ２７の発光部２７ａを発光駆動し、受光部２７ｂで受光され、信号受送信回路２８により火災感知器回路１８の火災信号出力回路４４を介して感知器回線２ａ，２ｂにパルス信号を出力する。
【０１０８】
このため図１の外部試験器７にあっては、図５（Ｆ）のように試験発報信号、種別信号、ガス漏れ試験応答信号、ＣＯ換気試験応答信号を受信し、これに基づき複合型警報器５における火災検出機能及びガス検出機能の両方について遠隔試験結果が正常であることを表示する。
【０１０９】
図５（Ｇ）は火災試験及びガス漏れ試験の各試験結果が異常の場合の外部試験器７における受信信号であり、この場合には外部試験器７で複合型警報器５の火災検出機能に異常があり、更にガス漏れ検出機能に異常があることを試験結果として表示するようになる。
【０１１０】
図６は図１の防災情報盤１に設けられる試験処理部１ｃの実施形態を示した説明図である。
【０１１１】
図６において，防災情報盤１には、信号送受信回路５０、ＭＰＵやメモリを備えたマイコン回路５１、表示パネル部５２、試験スイッチ５３、スピーカ５５を備えた警報音回路５４が設けられている。
【０１１２】
マイコン回路５１には信号送受信回路５０で受信した信号から、試験発報信号、種別信号、ガス漏れ試験応答信号、ＣＯ換気試験応答信号を識別するデータ信号識別部５６が設けられる。また試験処理部１ｃとしてタイマ５７及び試験信号パルス電圧重畳部５８が設けられる。
【０１１３】
タイマ５７は予め定めた設定時間ごとに試験信号パルス電圧重畳部５８を作動し、信号送受信回路５０を介して感知器回線２ａ，２ｂ間に火災感知器３及び複合型警報器５のアドレスを順番に指定して試験信号（試験コマンド）を出力する。このアドレス及び試験信号でなる信号パルスは電圧信号として、感知器回線２ａ，２ｂに対する電源電圧に重畳されて送出される。
【０１１４】
またタイマ５７にあっては、図２の複合型警報器５のマイコン回路９に設けている試験用のタイマ３３による設定時間が２４時間または２４０時間であることから、この時間との重複を回避するため、例えば２５時間または２５０時間で周期的に試験信号パルス電圧重畳部５８を作動して試験信号を出力させる。
【０１１５】
このように防災情報盤１からの試験信号による遠隔試験が火災感知器３及び複合型警報器５の火災感知器回路部とガス漏れ警報回路部で行われると、それぞれの試験結果を示す試験応答信号が信号送受信回路５０で受信され、データ信号識別部５６で識別され、表示パネル部５２に試験結果を表示する。
【０１１６】
また防災情報盤１に設けている試験スイッチ５３を操作することで、タイマ５７による試験周期に関わりなく、試験信号パルス信号重畳部５８を作動して試験信号を端末側に送出し、火災感知器３及び複合型警報器５の遠隔試験を行うことができる。この試験スイッチ５３による試験操作としては、例えば設置工事の際の遠隔試験などに有効に利用できる。
【０１１７】
なお図２の実施形態にあっては、複合型警報器５からの有電圧信号を外部に出力する移報用の外部出力回路２３を設けているが、この回路は、省略しても良い。
【０１１８】
また図２及び図５の実施形態にあっては、ガス漏れ信号送信回路３３、ＣＯ換気信号送信回路３４が、マイコン回路９からのガス漏れ信号、ＣＯ換気信号を入力することで、所定のパルス信号を出力するものであったが、マイコン回路９から直接所定パルス信号を出力するようにしても良い。この場合、マイコン回路９が信号送信回路部の機能の一部を内蔵することになる。
【０１１９】
また、上記の実施形態のガス漏れ検出回路部にあっては、メタンガスと一酸化炭素ガスの２種類のガス漏れを検出するものであったが、いずれか一方のガスのみ検出するものであっても良い。
【０１２０】
また上記の実施形態にあっては、ガス検出信号及び試験応答信号を感知器回線に対し出力するに当りパルス信号伝送方式を使っていたが、伝送方式はこれに限らず、例えば火災感知器回路に防災情報盤との間でやり取りを行う伝送回路を設けて、伝送によりガス検出信号及び試験応答信号を感知器回線に出力するなど、公知の伝送方式を使用することが可能である。
【０１２２】
また上記の実施形態にあっては、防災監視設備及び複合型警報器の設置場所として、集合住宅や戸建て住宅を例にとるものであったが、本発明はこれに限定されず、旅館、ホテルなどの宿泊施設、飲食店、オフィスビルなどにも適用できる。
【０１２３】
また上記の実施形態にあっては、火災感知器及び複合型警報器が接続される感知器回線は、防災情報盤から直接引き出されていたが、中継器を設け、中継器から引き出されるようにし、中継器経由で火災発報信号及びガス検出信号を防災情報盤や住棟受信盤に送るようにしても良い。
【０１２４】
更に上記の実施形態にあっては、火災感知器回路１８として図４のようにサーミスタを使用した定温式感知器を例にとるものであったが、これ以外に光電式煙感知器などの他の感知器構成を使用してもよい。
【０１２５】
【発明の効果】
以上説明してきたように本発明によれば、複合型警報器の火災感知器回路部は、商用交流電源からの電源供給から電気的に分離され、感知器回線から通常の火災感知器と同様に電源供給を受けて動作し、また複合型警報器の火災感知器回路部と同様にガス漏れ警報回路部についても遠隔的に試験することができ、複合型警報器のガス漏れ警報回路部及び火災感知器回路部を通常の火災感知器と共に遠隔的に試験ができ、保守点検が容易となり、設備の信頼性を維持できる。
【０１２６】
またガス漏れ警報回路部については、試験スイッチやタイマによるガス検出機能の試験結果を記憶保持させ、これを感知器回線からの遠隔試験による試験信号により返送させ、ガス漏れ警報回路部の試験結果を表示でき、これによりガス漏れ警報回路部の試験機能を有効に活かした感知器回線からの遠隔試験が可能となる。
【０１２７】
更に複合型警報器に設けた火災感知器回路部の停電対策は火災感知器と同様に取ることができ、予備電源装置の容量もに大きくする必要はなく、更に複合型警報器を設置している台所等に重複して火災感知器を設置する必要はない。
【図面の簡単な説明】
【図１】本発明による防災監視設備の住戸内の設備構成の説明図
【図２  】図1の複合型警報器の実施形態を示した回路ブロック図
【図３】図２の信号送信回路部で送信するパルス信号のタイムチャート
【図４】図２の火災感知器回路の回路ブロッック図
【図５】遠隔試験による試験動作のタイムチャート
【図６】防災情報盤に設けた本発明における試験処理部のブロック図
【図７】ガス漏れ警報器を接続した従来設備の説明図
【図８】従来の複合型警報器を示した回路ブロック図
【符号の説明】
１：防災情報盤
１ａ：火災監視部
１ｂ：ガス漏れ監視部
１ｃ：試験処理部
２ａ，２ｂ：感知器回線
３：火災感知器
４：終端抵抗
５：複合型警報器
６：中継器
７：外部試験器
８：電源回路部
９：マイコン回路
１０：ガス検出回路部
１３：ガス警報濃度設定回路
１４：表示灯回路
１５：音声警報出力回路
１６：スピーカ
１８：火災感知器回路
１９：火災発報信号送出回路
２０，２７，３０：フォトカプラ
２０ａ，２７ａ，３０ａ：発光部
２０ｂ，２７ｂ，３０ｂ：受光部
２１：火災発報信号受信回路
２２：火災警報接点出力回路
２３：外部出力回路
２４：ガス漏れ信号送信回路
２５：ＣＯ換気信号送信回路
２６：ＯＲ回路
２８：信号受送信回路
２９：試験スイッチ
３２：ガス試験部
３３：タイマ
３４：ガスセンサ試験制御部
３５：試験結果記憶部
３６：試験結果出力部
３７：整流回路
３８：ノイズ吸収回路
３９：定電圧回路
４０：電流制限回路
４１：熱検出回路
４３：比較回路
４２：発報温度設定回路
４４：火災信号出力回路
４６：試験回路
４７：スイッチ回路
４８：試験信号送出回路
４９：種別信号送出回路
５０：信号送受信回路
５１：マイコン回路
５２：表示パネル部
５３：試験スイッチ
５４：警報音回路
５５：スピーカ
５６：データ信号識別部
５７：タイマ
５８：試験信号パルス電圧重畳部
【図１】
0004366025.tif 000002
【図２】
0004366025.tif 000003
【図３】
0004366025.tif 000004
【図４】
0004366025.tif 000005
【図５】
0004366025.tif 000006
【図６】
0004366025.tif 000007
【図７】
0004366025.tif 000008
【図８】
0004366025.tif 000009